(57)【要約】【課題】汚水が入り込む可能性が低く、汚れが付着しにくく、かつ掃除がしやすい、臭気逆流防止用の副吐水部を有した便器装置を提供する。【解決手段】洗浄水を主吐水部２２よりボウル部１２内に供給し、ボウル部１２の溜め水を下部に設けた排水口１２ａより排出する便器装置１において、ボウル部１２内の溜め水レベルＬＶ１よりも高い位置に、排水口１２ａを覆う水膜３を形成するように洗浄水を噴出する副吐水部２３が設けてある。【選択図】図１
2018096069.tif 000002
【特許請求の範囲】
【請求項１】
洗浄水を主吐水部よりボウル部内に供給し、該ボウル部の溜め水を下部に設けた排水口より排出する便器装置において、
前記ボウル部内の溜め水レベルよりも高い位置に、前記排水口を覆う水膜を形成するように洗浄水を噴出する副吐水部が設けてあることを特徴とする便器装置。
【請求項２】
請求項１において、
前記副吐水部には縦長の水噴射口が形成されていることを特徴とする便器装置。
【請求項３】
請求項１または２において、
前記副吐水部は、前記主吐水部に洗浄水を供給する主流路から分岐した分岐流路に接続されており、
前記主流路と前記分岐流路とに洗浄水を配分して供給する制御部を有しており、
前記制御部は、前記ボウル部の水位が破封レベルよりも低い位置となっているときに、前記分岐流路に洗浄水の一部を供給するように制御することを特徴とする便器装置。
【請求項４】
請求項１〜３のいずれか１項において、
前記ボウル部は下方に向けてすぼんだ形状となっており、
前記副吐水部は前記ボウル部の傾斜面に設けられていることを特徴とする便器装置。
【請求項５】
請求項１〜４のいずれか１項において、
前記副吐水部は、前記ボウル部の内面より筒状に突出した突出部を有し、前記ボウル部と一体的に成形されていることを特徴とする便器装置。
【請求項６】
請求項１〜５のいずれか１項において、
前記副吐水部は、前記ボウル部の外面側に、洗浄水供給管が接続される管取付口を有しており、
前記洗浄水供給管は、前記管取付口に内嵌めされる先細りテーパ形状の差込口を備えていることを特徴とする便器装置。
【請求項７】
請求項１〜６のいずれか１項において、
前記副吐水部には逆流防止弁が内装されていることを特徴とする便器装置。
【請求項８】
請求項１〜７のいずれか１項において、
前記副吐水部は、前記ボウル部内方に向けて下り傾斜した内部流路を有したことを特徴とする便器装置。
【発明の詳細な説明】
【技術分野】
【０００１】
本発明は、主吐水部よりボウル部に供給した洗浄水をボウル部の下部に設けた排水口より排出する便器装置に関する。
【背景技術】
【０００２】
従来には、リム部近傍に設けられた主吐水部に加え副吐水部を備えた便器装置が種々提案されている（たとえば、特許文献１参照）。特許文献１のものは、ボウル部の底に設けられた副吐水部からの吐水で排水口からの臭気を下流側に押し込むことで、臭気の逆流を防止する構造となっている。
【先行技術文献】
【特許文献】
【０００３】
【特許文献１】特開２０１３−２０９８３６号公報
【発明の概要】
【発明が解決しようとする課題】
【０００４】
しかしながら、上記文献の副吐水部はボウル部の底にあり、溜め水内に常時浸かった状態にあるため、汚水が副吐水部に入り込んで逆流するおそれがある。また、副吐水部はそのような位置にあるため、汚れが付着しやすいし、その汚れを除去することもきわめて困難である。
【０００５】
本発明は、このような事情を考慮して提案されたもので、その目的は、汚水が入り込む可能性が低く、汚れが付着しにくく、かつ掃除がしやすい、臭気逆流防止用の副吐水部を有した便器装置を提供することにある。
【課題を解決するための手段】
【０００６】
上記目的を達成するために、本発明の便器装置は、洗浄水を主吐水部よりボウル部内に供給し、ボウル部の溜め水を下部に設けた排水口より排出する便器装置において、ボウル部内の溜め水レベルよりも高い位置に、排水口を覆う水膜を形成するように洗浄水を噴出する副吐水部が設けてあることを特徴とする。
【発明の効果】
【０００７】
本発明の便器装置によれば、上述した構成となっているため、臭気逆流防止用の副吐水部には、汚水が入り込む可能性が低く、汚れが付着しにくい。また、副吐水部の掃除がしやすい。
【図面の簡単な説明】
【０００８】
【図１】本発明の一実施形態に係る便器装置を模式的に示した縦断面図である。
【図２】（ａ）は同便器装置の要部を示した部分斜視図、（ｂ）は同概略縦断面図である。
【図３】（ａ）はボウル部内面の副吐水部の突出部の斜視図、（ｂ）は同突出部の縦断面図である。
【図４】（ａ）は副吐水部の管取付口と洗浄水供給管との接続態様の一例を示した斜視図、（ｂ）は同接続態様の例の縦断面図、（ｃ）は他の接続態様の例を示した斜視図である。
【図５】同便器装置において実行される基本動作のタイムチャートである。
【発明を実施するための形態】
【０００９】
以下に、本発明の実施の形態について、添付図面をもとに説明する。まず、便器装置１の基本構成について説明する。
【００１０】
本便器装置１は、洗浄水を主吐水部２２よりボウル部１２内に供給し、ボウル部１２の溜め水を下部に設けた排水口１２ａより排出する便器装置である。図１に示すように、ボウル部１２内の溜め水レベルＬＶ１よりも高い位置には、排水口１２ａを覆う水膜３を形成するように洗浄水を噴出する副吐水部２３が設けてある。
【００１１】
さらに、図１〜図５を参照しながら、本便器装置１の詳細について説明する。なお、以下の実施形態の説明における上下方向等の方向は、便器装置１が設置された状態を基準としている。
【００１２】
本実施形態に係る便器装置１は、トラップ部１４をいわゆるターントラップ式としたものであるが、上記基本構成は固定トラップのものにも適用が可能である。
【００１３】
本便器装置１は、床等の設置面に設置される着座式の洋風便器装置である。この便器装置１は、給水管１７および外部排水管１６に接続される給排水機構を有した便器本体１０を備えている（図１参照）。この便器本体１０には、給排水機構に接続されたボウル部１２およびトラップ部１４が内装されている。また便器本体１０には、ボウル部１２に対して開閉自在とされた便座（不図示）や便蓋１５が設けてある。
【００１４】
ボウル部１２は、上方に向けて開口し、下方に向けてすぼんだすり鉢形状とされ、上端にはリム部１１が周方向に延びるように設けてある。ボウル部１２の下部には排水口１２ａが形成されており、その排水口１２ａより後方に、ボウル部１２と相互に連通したトラップ部１４が設けてある。
【００１５】
図１に示した実施形態では、便器装置１として水洗タンク（ロータンク）を備えていない、いわゆるタンクレスタイプの例を示したが、このような態様に代えて、水洗タンクを備えた構成としてもよい。
【００１６】
ボウル部１２に洗浄水を供給する洗浄水供給部２１は、主吐水部２２と、主吐水部２２までの主流路２４と、給水弁２４ａと、副吐水部２３と、主流路２４から分岐した、副吐水部２３までの分岐流路２５と、給水弁２５ａなどを有してなる。
【００１７】
ボウル部１２への給水口としては、ボウル部１２リム部１１の直下に主吐水部２２が設けられており、その主吐水部２２から洗浄水（水道水）を供給する構成となっている。なお、ボウル部１２の上端に周方向に延びるように設けられたリム部１１に沿わせるように洗浄水（水道水）を供給する構成など種々のものが採用され得る。また、この洗浄水の供給は、便器装置１に設けられた洗浄操作部（不図示）の操作によってなされる。
【００１８】
本便器装置１には上述したように副吐水部２３がさらに設けてある。本便器装置１では、図１および図に示すように、副吐水部２３はボウル部１２内の側面（便器に向かって右側の傾斜面１２ｂ）に設けられている。また、この副吐水部２３の位置はボウル部１２内の溜め水レベルＬＶ１よりも高く、主吐水部２２の位置よりも低い位置となっている。この副吐水部２３の構成、機能等については後述する。
【００１９】
便器装置１に、便座や便蓋１５を開閉する開閉装置や、脱臭装置、便座を温める加熱装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。また、便器装置１は局部洗浄装置を有した構成であってもよい。
【００２０】
図１の便器装置１は、排出口１４ａ側の端部が上下方向に変位する蛇腹筒状とされる、いわゆるターントラップ式のトラップ部１４を有している。このトラップ部１４は、ボウル部１２の排水口１２ａと外部排水管１６とを連通するように便器本体１０内に設けられたトラップケース１３に収容されている。
【００２１】
便器本体１０には、このトラップ部１４の排出口１４ａ側の端部を上下動させる駆動機構が設けてある。このような駆動機構としては、図１に示すように、モーター等の回転駆動部（不図示）によってアーム軸１４ｃ回りに一端部が回転自在に保持され、他端部の連結部がトラップ部１４の排出口１４ａ側の端部に連結された駆動アーム１４ｂを備えたものが挙げられる。
【００２２】
このトラップ部１４の状態を切り替える駆動アーム１４ｂの回転駆動は、排水および溜め水が可能となるように、洗浄操作部の操作や各種のセンサーの検知などによる洗浄指令によってなされる本便器装置１の洗浄水の給水動作に連動するようになされる。
【００２３】
駆動アーム１４ｂの連結部がアーム軸１４ｃよりも高い位置となるように駆動アーム１４ｂを回転させた状態は、トラップ部１４の排出口１４ａがボウル部１２の排水口１２ａの上方側（上位置）に位置し、排水がなされない状態である。この状態が溜め水状態である。この溜め水状態では、トラップ部１４の排出口１４ａの高さ位置におおむね至るまで溜め水されればよく、この溜め水状態における水位が図１における溜め水レベルＬＶ１とされる。この溜め水レベルＬＶ１は、ボウル部１２の底部から排水口１２ａの上端にいたるまで高さ位置（破封レベルＬＶ２）よりも十分に高い位置とされる。
【００２４】
一方、図１に２点鎖線で示すように、駆動アーム１４ｂの連結部がアーム軸１４ｃよりも低い位置となるように駆動アーム１４ｂを回転させた状態では、トラップ部１４の排出口１４ａが下側を向き、排水が可能な排水状態となる。
【００２５】
トラップ部１４が溜め水状態から排水状態に移行する際には、その移行に伴い、ボウル部１２の水位は徐々に低下する。そして、排水口１２ａの上端よりも水位が低下すれば、排水口１２ａを介して外部排水管１６とボウル部１２内とが通気可能に連通する、いわゆる破封が生じる。破封が生じる上限水位である、排水口１２ａの開口の上端高さ位置が破封レベルＬＶ２とされる。
【００２６】
また、便器装置１は、上述したトラップ部１４の駆動機構および洗浄水供給部２１などと信号線を介して電気的に接続され、これらを作動制御する、ＣＰＵやプログラム等よりなる制御部２０を備えている。本実施形態では、後述するように、この制御部２０によって、上述した洗浄操作に伴うトラップ部１４の作動制御がなされる。
【００２７】
ついで、副吐水部２３の形状、構造および副吐水部２３による吐水制御の詳細について、図２〜図５を参照しながら説明する。
【００２８】
副吐水部２３は、図２（ａ）（ｂ）に示すようにボウル部１２の内側面にボウル部１２と一体に成形された突出部２３ａを有している。この突出部２３ａの先端には水噴射口２３ｂが開設されている。なお、ボウル部１２の外面側には管取付口２３ｃが形成されている。
【００２９】
副吐水部２３は、水噴射口２３ｂからの吐水により、図２（ａ）（ｂ）の２点鎖線で示したように、ボウル部１２の下部にある排水口１２ａを塞ぐような水膜３を形成する。排水口１２ａはトラップ部１４に通じ、その開口は横方向を向いているため、副吐水部２３は、そのような排水口１２ａを塞ぐために膜厚方向が横方向に合致するような水膜３を吐出すればよい。
【００３０】
このように水膜３は排水口１２ａを塞ぐ程度の大きさでよい。また、水膜３は厚みも薄くてよく、そのような水膜３を形成できるように、図３（ａ）に示すように水噴射口２３ｂは縦長スリット状のものが採用されている。
【００３１】
この水膜３は、外部排水管１６から、トラップ部１４、排水口１２ａを通じてボウル部１２側に逆流してくる臭気を食い止めるためのものである。よって本実施形態では、破封した際に、つまり洗浄水の水位が破封レベルＬＶ２よりも低い位置にあるときに、副吐水部２３からの洗浄水の吐水がなされるようになっている。この副吐水部２３の吐水制御については、図５の説明において後述する。
【００３２】
また、副吐水部２３は、排水口１２ａを適正な大きさで塞ぐことができるように、排水口１２ａになるべく近く、なるべく低い位置に設けてあることが望ましく、本実施形態ではボウル部１２の傾斜面１２ｂに設けてある。より詳しくは、その傾斜面１２ｂにおける溜め水レベルＬＶ１よりも高い位置に、副吐水部２３が形成されている。
【００３３】
このように副吐水部２３は溜め水レベルＬＶ１よりも高い位置にあるため、汚水等の副吐水部２３への浸入、分岐流路２５への逆流を回避することができる。また、副吐水部２３には、その位置からすれば人の汚物が直接当たる可能性は低く、主吐水部２２から吐出される洗浄水がかかる程度である。そのため、汚れが付着する可能性は低く、かりに汚れが付着しても溜め水に常時浸かった状態ではないから、掃除に手間はかからない。また、副吐水部２３の突出部２３ａはボウル部１２と一体的に成形されているため、隙間などの掃除のしにくい箇所はなく、また水が漏れ出るおそれもない。
【００３４】
なお図５において後述するように、ボウル部１２の洗浄動作において、トラップ部１４の動作により水位は一時的に溜め水レベルＬＶ１よりも高くなるため、副吐水部２３はその上限レベルＬＶ０よりも高い位置に形成されることがさらに望ましい。
【００３５】
また、副吐水部２３の突出部２３ａは、図３（ａ）（ｂ）に示すように、排水口１２ａの方向に洗浄水を吐出できるように斜め下方を向いていることが望ましい。
【００３６】
この副吐水部２３は、上述したように、ボウル部１２外面においては突出した管取付口２３ｃを有している（図１（ｂ）、図３（ｂ）参照）。副吐水部２３の内部には、管取付口２３ｃからボウル部１２内面の突出部２３ａの先端の水噴射口２３ｂにいたるまでの内部流路２３ｄが形成されている。なお、この内部流路２３ｄのおおむね全長または先端部を、水噴射口２３ｂの形状に合わせて薄厚の空間としてもよい。
【００３７】
この内部流路２３ｄの底面はボウル部１２の内方に向けて下り傾斜しており、特に先端部では大きく下り傾斜して水噴射口２３ｂへと通じている。このように内部流路２３ｄが下り傾斜しているため、ボウル部１２内の排水口１２ａに対する適切な方向に洗浄水を吐出することができる。また、内部流路２３ｄが下り傾斜しているため、毛細管現象などによる汚水等の逆流も防止することができる。
【００３８】
さらに、副吐水部２３の内部流路２３ｄには、図３（ｂ）に示すように逆流防止弁２３ｅが配設されている。この逆流防止弁２３ｅは、内部流路２３ｄ内の天井面側に軸部２３ｆを有した、水噴射口２３ｂ側への回動を可能とした開閉弁であり、洗浄水が流れない状態では重力により垂れ下がった状態にある。また、軸部２３ｆのボウル部１２外面側にはストッパ突部２３ｇが設けてあり、逆流防止弁２３ｅがボウル部１２外面側への回動が禁止されるようになっている。このような構造により、水噴射口２３ｂからの汚水等の入り込み（逆流）が防止される。
【００３９】
一方、内部流路２３ｄに分岐流路２５を通じて洗浄水が流れてきたときには、逆流防止弁２３ｅは水圧に押されて開き、天井面側の収容凹所２３ｈに収まるため、洗浄水は流れを妨げられることなく、スムーズに内部流路２３ｄを流れる。
【００４０】
また、ボウル部１２外面の管取付口２３ｃには、図４（ａ）（ｂ）に示すように、分岐流路２５を構成する洗浄水供給管２６が取り外し可能なように接続されている。洗浄水供給管２６は、素材を硬質樹脂等とされ、先端に先細りテーパ状の差込口２６ａを備えている。この差込口２６ａを副吐水部２３の管取付口２３ｃに内嵌めすることで、洗浄水供給管２６はボウル部１２に接続され、突出部２３ａの先端の水噴射口２３から洗浄水が吐水可能な状態となる。
【００４１】
このように洗浄水供給管２６の差込口２６ａが先細りテーパ状となっているため、管取付口２３ｃ、差込口２６ａ間の寸法誤差を吸収でき、多少の寸法誤差がある場合でも隙間なく接続でき、それにより水漏れを防止することができる。なお、管取付口２３ｃと差込口２６ａとの接触部には水漏れ防止用のパッキンを取りつけることが望ましい。
【００４２】
また、洗浄水供給管２６は、図４（ｃ）に示すように、ゴム等の柔軟なチューブで形成されたものでもよい。チューブの先端の差込口２６ａを管取付口２３ｃに外嵌めし、差込口２６ａの外周を留め具２６ｂで締めつけることで、両者は接続される。
【００４３】
このように柔軟な素材のチューブを洗浄水供給管２６として用いれば、副吐水部２３に外れにくいように接続でき、水漏れを確実に防止することもできる。
【００４４】
副吐水部２３は、以上のようなボウル部１２と一体型のものに限られず、ボウル部１２に孔を開け、その孔に、先端に水噴射口２３ｂが開設された洗浄水供給管（たとえばチューブ）を挿入して形成した構成であってもよい。
【００４５】
つぎに、図５のタイムチャートを参照しながら、洗浄水供給部２１による、主吐水部２２からボウル部１２への洗浄水供給動作および副吐水部２３からボウル部１２への洗浄水供給動作について説明する。
【００４６】
両洗浄水供給動作は、制御部２０が洗浄水供給部２１を制御することによってなされる。制御部２０は、以下に説明するように、洗浄水供給部２１とトラップ部１２とを相互に連動させながら制御する構成となっている。
【００４７】
まず、洗浄操作部の操作がされた時には、そのＯＮ信号にもとづいて、洗浄水供給部２１とトラップ部１４のそれぞれの動作が開始される。
【００４８】
洗浄水供給部２１の動作としては、主流路２４の給水弁２４ａが開とされ、主吐水部２２からボウル部１２へ洗浄水が供給され始める。
【００４９】
トラップ部１４の動作としては、トラップ部１４の排出口１４ａ側の端部が上位置からさらに上方に回転移動し、ボウル部１２内では、主吐水部２２からの洗浄水の供給を受けて、溜め水の水位はいったん溜め水レベルＬＶ１よりも高い上限レベルＬＶ０まで上昇する。
【００５０】
給水開始後、水位が上限レベルＬＶ０に達したとき、トラップ部１４の排出口１４ａ側の端部は下方への回転移動を開始し、排水位置（下位置）で停止する。それにともない、水位は上限レベルＬＶ０から下降していき破封レベルＬＶ２を通過し、ほぼゼロの最低位置に到達する。
【００５１】
水位が破封レベルＬＶ２を通過する（下回る）タイミングに、分岐流路２５の給水弁２５ａが開とされ、主流路２４に流れていた洗浄水の一部が分岐流路２５に流れ、副吐水部２３からボウル部１２へ洗浄水が供給され始める。これによって水膜３が形成され、その水膜が、通気可能となった排水口１２ａを塞ぎ、臭気の逆流を防止する。
【００５２】
水位が最低位置となってから一定時間経過後、トラップ部１４の排出口１４ａ側の端部が上方に回転移動を開始し、洗浄水の水位が上昇する。その後、トラップ部１４の端部が上方への回転移動を続けることで溜め水の水位は、破封レベルＬＶ２を通過する。
【００５３】
水位が破封レベルを通過する（超える）タイミングに、副吐水部２３からの洗浄水の供給が停止され、その後、主吐水部２２からの洗浄水の供給も停止される。水位はその後も上昇し、時間遅れで溜め水レベルＬＶ１となる。
【００５４】
こうして、洗浄操作による主吐水部２２と副吐水部２３による洗浄水の供給は完了する。このように、破封レベルＬＶ２を下回っているときに、副吐水部２３から洗浄水が供給される。
【００５５】
このような副吐水部２３からの洗浄水供給は、主吐水部２２からの供給洗浄水の一部を副吐水部２３側に割り当てるようにした、制御部２０の配分制御による。このように、図５に示すように、副吐水部２３からの洗浄水供給量Ｗ２は、全体の洗浄水供給量Ｗ１の一部を担うものであり、単位時間当たりの供給量も供給時間帯を通じておおむね一定となる。したがって、多くの洗浄水を使用しなくても排水口１２ａによる破封を回避でき、臭気の逆流を防止することができる。
【００５６】
また、破封時間帯においては主吐水部２２からの洗浄水の供給量は減るが、減った分、副吐水部２３からの供給があるため、破封時間帯が長引くおそれはない。なお、破封時間帯における主吐水部２２からの供給量と、副吐水部２３からの供給量との割合は、７対３ぐらいが望ましい。
【００５７】
本実施形態では、副吐水部２３からの洗浄水供給の開始、停止タイミングを破封レベルＬＶ２の下回り、上回りに合わせるために、たとえば洗浄操作から所定時間が経過したことで判別されるようにすればよい。また、トラップ部１２の動作に連動して副吐水部２３からの洗浄水供給を開始、停止するようにしてもよいし、流量計による計測により副吐水部２３からの洗浄水供給を開始、停止するようにしてもよい。
【００５８】
上記実施形態のものでは、以上のように副吐水部２３からの洗浄水の供給は水位が破封レベルＬＶ２よりも低い位置にあるときに行うものとしたが、さらに広い時間帯で実施するようにしてもよい。さらに、破封のタイミングには関係なく副吐水部２３から洗浄水を出力する構成としてもよい。また、一定量の洗浄水を主吐水部２２と副吐水部２３とに配分するのではなく、個々を独立的に制御してもよいし、またその個別制御により、副吐水部２３からの洗浄水の供給で洗浄水の全体の供給量を増やすようにしてもよい。たとえば、副吐水部２３からの洗浄水供給を補助水として利用できるようにしてもよい。
【符号の説明】
【００５９】
１          便器装置
３          水膜
１２        ボウル部
１２ａ      排水口
２０        制御部
２２        主吐水部
２３        副吐水部
２３ａ      突出部
２３ｂ      水噴射口
２３ｃ      管取付口
２３ｄ      内部流路
２３ｅ      逆流防止弁
２４        主流路
２５        分岐流路
２６        洗浄水供給管
２６ａ      差込口
ＬＶ０    上限レベル
ＬＶ１    溜め水レベル
ＬＶ２    破封レベル
【図１】
2018096069.tif 000003
【図２】
2018096069.tif 000004
【図３】
2018096069.tif 000005
【図４】
2018096069.tif 000006
【図５】
2018096069.tif 000007